(57)【要約】      （修正有）【課題】電動顕微鏡に接続される複数の装置の操作用アイコンと顕微鏡画像とを重ねて表示し、当該複数の装置の操作が可能で操作性及び観察性に優れた表示部を備えたリモートコントローラ及び該リモートコントローラを備えた顕微鏡を提供する。【解決手段】電動顕微鏡に接続される複数の装置の操作用アイコンと顕微鏡画像とを重ねて表示する表示部を有するリモートコントローラ７であって、前記操作用アイコンは、第１の操作用アイコン２１ａまたは第２の操作用アイコンであり、前記第１の操作用アイコン２１ａと前記第２の操作用アイコンとを切り替える切替手段２５を有する。【選択図】図２
2012088621.tif 000002
【特許請求の範囲】
【請求項１】
電動顕微鏡に接続される複数の装置の操作用アイコンと顕微鏡画像とを重ねて表示する表示部を有するリモートコントローラであって、
前記操作用アイコンは、第１の操作用アイコンまたは第２の操作用アイコンであり、
前記第１の操作用アイコンと前記第２の操作用アイコンとを切り替える切替手段を有することを特徴とするリモートコントローラ。
【請求項２】
前記第１の操作用アイコンはタッチパネル用アイコンであり、前記第２の操作用アイコンはマウス操作用アイコンであることを特徴とする請求項１に記載のリモートコントローラ。
【請求項３】
前記タッチパネル用アイコンの大きさは、前記マウス操作用アイコンよりも大きいことを特徴とする請求項２に記載のリモートコントローラ。
【請求項４】
前記操作用アイコンは、前記表示部の端部に沿って表示されることを特徴とする請求項１から３のいずれか１項に記載のリモートコントローラ。
【請求項５】
前記表示部は四角形であり、前記操作用アイコンは当該表示部の左右端または上下端に沿って表示されることを特徴とする請求項１から４のいずれか１項に記載のリモートコントローラ。
【請求項６】
前記第１の操作用アイコンが前記表示部に表示されているときは第１の操作のみで前記装置が操作され、
前記第２の操作用アイコンが前記表示部に表示されているときは第２の操作のみで前記装置が操作されることを特徴とする請求項１から５のいずれか１項に記載のリモートコントローラ。
【請求項７】
請求項１から６のいずれか１項に記載のリモートコントローラを有し、
前記リモートコントローラで操作可能な少なくとも１つの電動装置を搭載したことを特徴とする顕微鏡。
【発明の詳細な説明】
【技術分野】
【０００１】
本発明は、電動顕微鏡及び電動顕微鏡に接続される複数の装置の操作が可能なリモートコントローラ、及び該コントローラを備えた顕微鏡に関する。
【背景技術】
【０００２】
従来、電動顕微鏡に接続されるデジタルカメラや電動レボルバ等の複数の装置の操作が可能なリモートコントローラであって、使用者が例えば液晶モニタ等の表示部上のアイコンを指等で押下することで、当該アイコンに対応する装置を操作できる、例えばタッチパネル（第１操作部材）を搭載したリモートコントローラが提案されている（例えば、特許文献１）。
【０００３】
このような従来のリモートコントローラでは、顕微鏡画像と操作用アイコンが表示される。
【先行技術文献】
【特許文献】
【０００４】
【特許文献１】特開２００８−２９２５７８号公報
【発明の概要】
【発明が解決しようとする課題】
【０００５】
しかしながら、例えばタッチパネルを備えた上記のような従来のリモートコントローラでは、操作用のアイコンは、指操作を考慮して指による押下で反応する大きさを有していなければならず、また押し間違い防止のために隣り合うアイコンとの間隔もある程度広くとる必要があることから、アイコンが大きくなり、メニュー画面が全体として大きくなる。その結果、顕微鏡画像が遮られ、観察がしづらくなるという問題があった。
【０００６】
本発明は上記問題点に鑑みてなされたものであり、電動顕微鏡に接続される複数の装置の操作用アイコンと顕微鏡画像とを重ねて表示し、当該複数の装置の操作が可能で操作性及び観察性に優れた表示部を備えたリモートコントローラ及び該リモートコントローラを備えた顕微鏡を提供することを課題とする。
【課題を解決するための手段】
【０００７】
上記課題を解決するため、本発明は、電動顕微鏡に接続される複数の装置の操作用アイコンと顕微鏡画像とを重ねて表示する表示部を有するリモートコントローラであって、前記操作用アイコンは、第１の操作用アイコンまたは第２の操作用アイコンであり、前記第１の操作用アイコンと前記第２の操作用アイコンとを切り替える切替手段を有することを特徴とするリモートコントローラを提供する。
【０００８】
また、本発明は、前記リモートコントローラで操作可能な少なくとも１つの電動装置を搭載したことを特徴とする顕微鏡を提供する。
【発明の効果】
【０００９】
本発明によれば、電動顕微鏡に接続される複数の装置の操作用アイコンと顕微鏡画像とを重ねて表示し、当該複数の装置の操作が可能で操作性及び観察性に優れた表示部を備えたリモートコントローラ（以後、本明細書中では単にリモートコントローラと記す。）及び該リモートコントローラを備えた顕微鏡を提供することができる。
【図面の簡単な説明】
【００１０】
【図１】（ａ）は本発明の実施形態に係る顕微鏡のシステム構成図であり、（ｂ）はシステムブロック図である。
【図２】（ａ）は本発明の第１実施形態に係るリモートコントローラの表示部にタッチパネル用メニューが表示されている状態を示す図であり、（ｂ）はタッチパネル用メニューの拡大図である。
【図３】（ａ）は本発明の第１実施形態に係るリモートコントローラの表示部にマウス操作用メニューが表示されている状態を示す図であり、（ｂ）はマウス操作用メニューの拡大図である。
【図４】（ａ）は本発明の第２実施形態に係るリモートコントローラの表示部にタッチパネル用メニューが表示されている状態を示す図であり、（ｂ）は本発明の第２実施形態に係るリモートコントローラの表示部にマウス操作用メニューが表示されている状態を示す図である。
【図５】第１及び第２の実施形態に係るリモートコントローラを起動してデジタルカメラで顕微鏡画像を撮影するまでのフローの一例を示す図である。
【発明を実施するための形態】
【００１１】
以下、本発明の実施形態に係る顕微鏡について図面を参照しつつ説明する。なお、以下の実施形態は、発明の理解を容易にするためのものに過ぎず、本発明の技術的思想を逸脱しない範囲において当業者により実施可能な付加・置換等を施すことを排除することは意図していない。
【００１２】
はじめに、本第１及び第２の実施形態に係る顕微鏡システム１の全体的な構成について説明する。図１（ａ）、（ｂ）に示すように、本第１及び第２の実施形態に係る顕微鏡システム１は、電動顕微鏡３と、電動顕微鏡３に接続されたデジタルカメラ５と、リモートコントローラ７とからなる。
【００１３】
電動顕微鏡３は、一般的な構成の顕微鏡本体９と、使用者により適宜取り付けられる電動レボルバや電動ズーム等の複数の電動装置１１と、外付けの電動装置制御装置１３とからなる。電動装置制御装置１３は、リモートコントローラ７及び各電動装置１１と接続されており、リモートコントローラ７からの指示に基づいて各電動装置１１を制御するものである。
【００１４】
リモートコントローラ７は、各電動装置１１及びデジタルカメラ５を操作するためのアイコンとデジタルカメラ５で撮影可能な顕微鏡画像とを重ねて表示するための液晶モニタ１９と、制御部１５とを備えている。液晶モニタ１９上にはタッチパネルが張り合わされており、使用者が液晶モニタ１９上の後述する第１の操作用アイコンであるタッチパネル用アイコン２１を指等で押下することで、対応する電動装置１１またはデジタルカメラ５が操作される構成となっている。なお、制御部１５はリモートコントローラ７内以外に設けられていても良く、例えば顕微鏡本体９に設けられていても良い。
【００１５】
このような構成により、顕微鏡システム１の使用者は、顕微鏡画像を液晶モニタ１９で観察しながら、操作用のアイコンによって電動装置１１及びデジタルカメラ５を操作することができる。
【００１６】
（第１実施形態）
次に、本発明の第１実施形態に係るリモートコントローラ７について説明する。図２（ａ）は第１実施形態に係るリモートコントローラ７の液晶モニタ１９に複数の第１の操作用アイコンであるタッチパネル用アイコン２１ａからなるタッチパネル用メニュー２１が表示されている状態を示す図であり、図２（ｂ）はタッチパネル用メニュー２１の拡大図であり、図３（ａ）は第１実施形態に係るリモートコントローラ７の液晶モニタ１９に複数の第２の操作用アイコンであるマウス操作用アイコン２３ａからなるマウス操作用メニュー２３が表示されている状態を示す図であり、図３（ｂ）はマウス操作用メニュー２３の拡大図である。
【００１７】
使用者が電動顕微鏡３、デジタルカメラ５及びリモートコントローラ７の電源を入れると、制御部１５は、デジタルカメラ５で撮影可能な顕微鏡画像と、デジタルカメラ５及び電動装置１１を操作するための複数のアイコンからなる操作メニューとを液晶モニタ１９に表示する。操作メニューは、複数のタッチパネル用アイコン２１ａからなるタッチパネル用メニュー２１と、複数のマウス操作用アイコン２３ａからなるマウス操作用メニュー２３のいずれかであり、制御部１５は、前回終了時に液晶モニタ１９に表示されていたメニューを記憶してこれを液晶モニタ１９に表示する。なお、電源投入時に液晶モニタ１９に表示されるメニューは、デフォルト設定により予め決められていても良く、初期設定メニューにより使用者が設定可能としても良い。
【００１８】
タッチパネル用アイコン２１ａ及びマウス操作用アイコン２３ａは、指等で押下すると対応する電動装置１１またはデジタルカメラ５の操作がすぐに行われるものと、別ウィンドウが開いて更にアイコンが表示される階層構造のものとがある。タッチパネル用メニュー２１及びマウス操作用メニュー２３は、顕微鏡画像の一部に重ねて表示され、第１実施形態では、図２（ａ）及び図３（ａ）に示すように、それぞれ１９個のアイコンが一つにまとまって液晶モニタ１９の左側に表示されている。なお、タッチパネル用メニュー２１及びマウス操作用メニュー２３は液晶モニタ１９上のどの位置に表示されても良い。また、タッチパネル用メニュー２１及びマウス操作用メニュー２３をそれぞれ構成するアイコンの数や並べ方も適宜変更可能である。
【００１９】
本第１実施形態において、液晶モニタ１９のサイズは縦７６８ピクセル、横１０２４ピクセルであり、図２（ａ）（ｂ）に示すタッチパネル用メニュー２１のサイズは縦７２６ピクセル、横３３６ピクセルである。そしてタッチパネル用アイコン２１ａのサイズは縦８０ピクセル、横８０ピクセルである。従って、タッチパネル用アイコン２１ａによる操作では、マウスを用いずに直接液晶モニタ１９上のアイコンを指で押下してデジタルカメラ５等を操作することができるため操作性に優れているが、上述のように、タッチパネル用アイコン２１ａは指で押下して反応するのに十分な大きさを有しているため大きくなり、タッチパネル用メニュー２１が液晶モニタ１９で占める範囲は、マウス操作用メニュー２３が表示されている場合に比べて広くなる。
【００２０】
一方、図３（ａ）（ｂ）に示すマウス操作用メニューのサイズは縦３６３ピクセル、横１１８ピクセルであり、マウス操作用アイコン２３ａのサイズは縦４０ピクセル、横４０ピクセルである。マウス操作の場合は、マウスを操作してアイコンを押下するためタッチパネル操作よりは操作性は劣るが、タッチパネル用アイコン２１ａよりもアイコンを小さくしてメニューを小さくできるため、液晶モニタ１９上に顕微鏡画像を大きく表示することができる。本実施形態では、マウス操作用メニュー２３はタッチパネル用メニュー２１の約半分の大きさとなる。
【００２１】
なお、液晶モニタ１９のサイズ、タッチパネル用アイコン２１ａ、及びマウス操作用アイコン２３ａのサイズは適宜変更可能である。例えば異なるピクセル数の液晶モニタを使用したリモートコントローラの場合には、タッチパネル用アイコンは、指で押下可能な程度のピクセル数（例えば、上記８０×８０ピクセル数を比例拡大、あるいは縮小したピクセル数）を有し、マウス操作用アイコンは、マウスのポインタで押下できる程度のピクセル数（例えば、上記４０×４０ピクセル数を比例拡大、あるいは縮小したピクセル数）を有すれば良い。
【００２２】
本第１実施形態において、液晶モニタ１９の左上の角Ｐ点の座標を、Ｘ座標及びＹ座標ともに０とすると、タッチパネル用メニュー２１のうち左上のアイコンＭを検出する座標は、Ｘ座標＝３８ピクセル、Ｙ座標＝９２ピクセルから、Ｘ座標＝１１８ピクセル、Ｙ座標＝１７１ピクセルの範囲であり、指等により押下されたことを検出する範囲は、タッチパネル用アイコン２１ａの大きさと同じ８０ピクセルとしている。
【００２３】
一方、液晶モニタ１９の左上の角Ｐ点の座標を、Ｘ座標及びＹ座標ともに０とすると、マウス操作用メニュー２３のうち左上のアイコンＮを検出する座標は、Ｘ座標＝１９ピクセル、Ｙ座標＝４５ピクセルから、Ｘ座標＝５９ピクセル、Ｙ座標＝８５ピクセルの範囲であり、マウス操作により押下されたことを検出する範囲は、マウス操作用アイコン２３ａの大きさと同じ４０ピクセルとしている。
【００２４】
液晶モニタ１９の右下に配置した切替アイコン２５は、タッチパネル用メニュー２１とマウス操作用メニュー２３とを切り替えるためのアイコンであり、タッチパネル用アイコン及びマウス操作用アイコンの両方の機能を有している。切替アイコン２５を押下することで、アイコンの押下検出位置及び押下検出範囲を変化させることができる。
【００２５】
このような構成により、マウス操作用メニュー２３が表示されているときには、マウスを操作してポインタ（例えば、矢印）を各マウス操作用アイコン２３ａが表示された位置に合わせ、マウスボタンを押下することでのみ、各アイコン２３ａに対応する電動装置１１等の操作が行われる。従ってこの場合、各アイコン２３ａの配置位置を指等で押下したとしても、電動装置１１等の操作は、行われない。
【００２６】
同様に、タッチパネル用メニュー２１が表示されているときには、各タッチパネル用アイコン２１ａが表示された位置を指等で押下することでのみ、各アイコン２１ａに対応する電動装置１１等の操作が行われる。従ってこの場合、各アイコン２１ａの配置位置にマウスのポインタを合わせて、マウスボタンを押下したとしても、電動装置１１等の操作は、行われない。
【００２７】
なお、タッチパネル用メニュー２１またはマウス操作用メニュー２３が液晶モニタ１９に表示されたいずれの場合にも、指等によるアイコンの押下と、マウス操作によるアイコンの押下の両方で電動装置１１等の操作が行われるようにしても良い。両方による操作を可能とした場合、マウス操作用メニュー２３が表示されているときには、マウスを操作して各アイコン２３ａを押下する他、スタイラスペン等で直接押下することによっても電動装置１１等の操作が可能である。同様に、タッチパネル用メニュー２１が表示されているときは、指等で各アイコン２１ａを押下する他、マウスを操作してアイコン２１ａを押下することによっても電動装置１１等の操作が可能である。
【００２８】
以上説明したように、切替アイコン２５によってタッチパネル用メニュー２１とマウス操作用メニュー２３とを適宜切り替えることができるので、操作メニューを大きくして操作性を重視する場合と、顕微鏡画像を大きく表示するために操作メニューを小さく表示して観察性を重視する場合とでアイコンを使い分けることができる。なお、切替アイコン２５の配置位置はどこでも良く、例えばリモートコントローラ７のうち液晶モニタ１９を囲む枠部分にボタンを設け、このボタンをアイコン切替用のボタンとしても良い。
【００２９】
（第２実施形態）
第２実施形態に係るリモートコントローラ１０７について説明する。図４（ａ）は第２実施形態に係るリモートコントローラ１０７の液晶モニタ１１９に複数の第１の操作用アイコンであるタッチパネル用アイコン１２１ａからなるタッチパネル用メニュー１２１が表示されている状態を示す図であり、図４（ｂ）は第２実施形態に係るリモートコントローラ１０７の液晶モニタ１１９に複数の第２の操作用アイコンであるマウス操作用アイコン１２３ａからなるマウス操作用メニュー１２３が表示されている状態を示す図である。第１実施形態と同様の構成については説明を省略する。
【００３０】
第２実施形態において、液晶モニタ１１９のサイズは縦７６８ピクセル、横１０２４ピクセルであり、図４（ａ）に示すタッチパネル用アイコン１２１ａのサイズは縦８０ピクセル、横８０ピクセルである。また、図４（ｂ）に示すマウス操作用アイコン１２３ａのサイズは縦４０ピクセル、横４０ピクセルである。なお、液晶モニタ１１９のサイズ、タッチパネル用アイコン１２１ａ、及びマウス操作用アイコン１２３ａのサイズは適宜変更可能である。例えば、異なるピクセル数の液晶モニタを使用したリモートコントローラの場合には、タッチパネル用アイコンは、指で押下可能な程度のピクセル数（例えば、上記８０×８０ピクセル数を比例拡大、あるいは縮小したピクセル数）を有し、マウス操作用アイコンは、マウスのポインタで押下できる程度のピクセル数（例えば、上記４０×４０ピクセル数を比例拡大、あるいは縮小したピクセル数）を有すれば良い。
【００３１】
図４（ａ）に示すように、第２実施形態に係るリモートコントローラ１０７では、タッチパネル用アイコン１２１ａは、矩形状の液晶モニタ１１９の左右端に沿って並んで表示され、縦長形状のタッチパネル用メニュー１２１を構成している。タッチパネル用メニュー１２１は、顕微鏡画像を背面にして当該画像上に重ねて表示されている。
【００３２】
複数のタッチパネル用アイコン１２１ａが液晶モニタ１１９の左右端に沿って並んで表示されることで、指タッチによる液晶モニタ１１９の中心部への汚れ付着を防止できるとともに、顕微鏡画像の表示領域を大きくすることができる。
【００３３】
また、図４（ｂ）に示すように、第２実施形態に係るリモートコントローラ１０７では、マウス操作用アイコン１２３ａも、顕微鏡画像を背面にして液晶モニタ１１９の左右端に沿って並んで表示され、縦長形状のマウス操作用メニュー１２３を構成している。
複数のマウス操作用アイコン１２３ａが液晶モニタ１１９の左右端に沿って並んで表示されることで、顕微鏡画像の表示領域をより大きくすることができる。使用者は、液晶モニタ１１９の右下に常時表示されている切替アイコン１２５を指等で押下することにより、タッチパネル用メニュー１２１とマウス操作用メニュー１２３とを切り替えることができる。なお、切替アイコン１２５の配置位置はどこでも良いこと、及び、切替アイコン１２５の作用効果は、第１実施形態において説明したのと同様である。
【００３４】
以上述べたように、第２実施形態に係るリモートコントローラ１０７では、切替アイコン１２５を押下することにより、指等で操作可能な操作性を重視する場合と、顕微鏡画像領域が広い観察性を重視する場合とでアイコンを使い分けることができる。また、タッチパネル用メニュー１２１及びマウス操作用メニュー１２３とがそれぞれ液晶モニタ１１９の左右端に沿って並んで表示されるため、第１実施形態に比べて液晶モニタ１１９における顕微鏡画像の表示領域をより大きくすることができる。また、指タッチにより液晶モニタ１１９の中心部に汚れが付着するのを防止できる。なお、タッチパネル用アイコン１２１ａ及びマウス操作用アイコン１２３ａの配置位置及び形状は上記に限られず、顕微鏡画像の表示領域を大きくすることが出来ればどのように表示しても良い。例えば、タッチパネル用アイコン１２１ａ及びマウス操作用アイコン１２３ａを液晶モニタ１１９の上下端に沿って並んで表示されるように構成して、タッチパネル用メニュー１２１及びマウス操作用メニュー１２３とを横長の形状としても良い。また、液晶モニタ１１９の形状も適宜変更可能である。
【００３５】
次に、図５を参照しつつ、本第１及び第２の実施形態に係るリモートコントローラ７，１０７を起動してデジタルカメラ５で顕微鏡画像を撮影するまでのフローの一例について説明する。
【００３６】
ステップＳ１：電動顕微鏡３、デジタルカメラ５、及びリモートコントローラ７，１０７を起動すると、リモートコントローラ７，１０７の液晶モニタ１９，１１９には、タッチパネル用メニュー２１、１２１またはマウス操作用メニュー２３，１２３が表示される。例えば、前回使用した際マウス操作用メニュー２３，１２３が表示された状態で終了していれば、起動時にマウス操作用メニュー２３，１２３が表示され、使用者はマウス操作により切替アイコン２５、１２５を押下してメニューをタッチパネル用メニュー２１，１２１に切り替える。タッチパネル用メニュー２１，１２１が表示された場合は、そのままの状態でステップＳ２へ進む。
【００３７】
ステップＳ２：使用者は、タッチパネル用メニュー２１，１２１のうち該当するアイコン２１ａ、１２１ａを押下し、各電動装置１１を操作して（電動レボルバによる対物レンズの切り替えや電動ズームによるズーム倍率の変更、電動上下動による焦点合わせや電動フィルタによる波長変更等）、電動顕微鏡３の観察条件を観察したい像に合わせて調整する。
【００３８】
ステップＳ３：観察条件の調整終了後、顕微鏡画像を大きく表示するために、使用者は切替アイコン２５，１２５を押下し、液晶モニタ１９，１１９に表示された操作用メニューをタッチパネル用メニュー２１，１２１からマウス操作用メニュー２３，１２３へと切り替える。
【００３９】
ステップＳ４：液晶モニタ１９，１１９に大きく表示された顕微鏡画像を確認しながら、マウス操作用メニュー２３，１２３で観察条件を微調整する。
【００４０】
ステップＳ５：マウスを操作してマウス操作用メニュー２３，１２３のうちデジタルカメラ５の操作のための各操作用アイコン２３ａ、１２３ａを押下し、シャッタータイミングや露出補正、ホワイトバランス等のカメラの撮影条件を調整する。
【００４１】
ステップＳ６：顕微鏡画像を撮影し、画像を保存する。以上で、本第１及び第２の実施形態に係るリモートコントローラ７，１０７の起動時から顕微鏡画像の撮影までの一例のフローが終了する。
【００４２】
以上のように、本第１及び第２の実施形態に係るリモートコントローラ７，１０７では、切替アイコン２５，１２５により第１の操作用アイコンに関わる、例えばタッチパネル用メニュー２１，１２１と、第２の操作用アイコンに関わる、例えばマウス操作用メニュー２３，１２３とを適宜切り替えることができるため、操作性を重視する場合と観察性を重視する場合とでアイコンを使い分けることができる。また、第１、第２の操作用アイコンの差異として、アイコンの大きさの差異の他、アイコンの色や形等と表示部に表示される画像との関係から、表示部に表示するアイコンを選択し、切り替えても良い。また、使い勝手の良さを考慮し、切り替えても良い。
【００４３】
本第１及び第２の実施形態によれば、操作性及び観察性に優れた表示部を備えたリモートコントローラを実現することができる。
【符号の説明】
【００４４】
１            顕微鏡システム
３            電動顕微鏡
５            デジタルカメラ
７，１０７    リモートコントローラ
９            顕微鏡本体
１１          電動装置
１３          電動装置制御装置
１５          制御部
１９，１１９  液晶モニタ
２１，１２１      タッチパネル用メニュー
２１ａ，１２１ａ  タッチパネル用アイコン
２３，１２３      マウス操作用メニュー
２３ａ，１２３ａ  マウス操作用アイコン
２５，１２５      切替アイコン
【図１】
2012088621.tif 000003
【図２】
2012088621.tif 000004
【図３】
2012088621.tif 000005
【図４】
2012088621.tif 000006
【図５】
2012088621.tif 000007